(57)【特許請求の範囲】
【請求項１】
建物用鉄骨に固定される吊り戸枠と、吊り戸枠に設けられるレール部材と、レール部材に開閉自在に吊り下げられる扉と、閉鎖状態の扉の上方に位置するランマパネルと点検パネルより構成され、ランマパネルと点検パネルは、ランマパネル上嵌入用間隙、あるいは、点検パネル上嵌入用間隙に、下方から嵌入するランマパネル上嵌入部と、点検パネル上嵌入部と、開閉方向側の少なくともいずれか一方側の端部に、外方に突出するランマパネル外向き突片と点検パネル外向き突片を有し、扉の上方に着脱自在で、上下方向に取付け高さ変更可能に構成されると共に、点検パネルの前表面板とランマパネルの後表面板は、閉鎖状態の扉の前後面板とほぼ面一となることを特徴とする吊り戸装置。
【請求項２】
建物用鉄骨に固定される吊り戸枠にレール部材が設けられ、レール部材に開閉自在に吊り下げられた扉の閉鎖状態で、扉が位置する側を出入口側とし、出入口側は、少なくとも、戸先側縦枠と、前後に所定間隔を有して配設された前後中縦枠と、前後中縦枠と戸先側縦枠の上端部間に配設されるランマパネルと点検パネルより構成され、ランマパネルと点検パネルは、ランマパネル上嵌入用間隙、あるいは、点検パネル上嵌入用間隙に、下方から嵌入するランマパネル上嵌入部と、点検パネル上嵌入部と、開閉方向側の少なくともいずれか一方側の端部に、外方に突出するランマパネル外向き突片と点検パネル外向き突片を有し、扉の上方に着脱自在で、上下方向に取付け高さ変更可能に構成されると共に、点検パネルの前表面板とランマパネルの後表面板は、閉鎖状態の扉の前後面板とほぼ面一となることを特徴とする吊り戸装置。
【請求項３】
前後中縦枠と戸先側縦枠の少なくともいずれか一方に、点検パネル外向き突片とランマパネル外向き突片が連結される前後連結用凹部を上下方向にわたって有し、前後連結用凹部には上下方向に所定間隔を有して前後連結用螺孔が形成され、点検パネル外向き突片とランマパネル外向き突片には前後連結用螺孔に対応して上下方向に長い前後連結用長孔が形成されていることを特徴とする請求項２に記載の吊り戸装置。
【請求項４】
点検パネル外向き突片とランマパネル外向き突片の反対側の前後表面板下端部裏面側に前後間隔保持金具が設けられ、前後間隔保持金具は、レール保持材に下方から連結された状態で、点検パネルとランマパネルが上下方向に移動可能で、かつ、適宜高さの点検パネル及びランマパネルと上下動不能に連結固定されることを特徴とする請求項３に記載の吊り戸装置。
【発明の詳細な説明】
【技術分野】
【０００１】
本発明は、特に事務所の出入口等に使用されるデザイン性に優れた吊り戸装置に関するものである。
【背景技術】
【０００２】
通常、建物内の床面は、完全なフラットには仕上げられていない。したがって、吊り戸装置の扉の開閉時に扉の下面が床面と接触せずに円滑に扉を開閉させるために、遮音性、保温性に影響しない範囲で、扉下面と床面との間に適宜な隙間を設ける必要があった。そして、その隙間を設ける作業は、扉を吊り下げた状態で扉を上下動させるので、ランマパネルと点検パネル（扉の上方に設けられたレール支持部材、吊り金具、自閉装置等の扉以外の部材を隠蔽、あるいは、点検するために設けられたもの）は、扉が上方に移動した時、扉の上端面がその下端面に衝突しないよう、扉の上下方向の移動量を見越して前後方向で外側にずらし、扉の上部を前後方向から挟み込むように配置する必要があった。（特許文献１参照）
【０００３】
このため、出入り口枠内において、ほぼ出入口枠の厚みに相当する部材（ランマパネルと点検パネル）が扉の上方に配置される事となり、出入り口枠内を通過する使用者の頭上に、圧し掛かるような圧迫感が発生し、好ましくなかった。
又、出入口枠、扉、ランマパネル、点検パネル等の表面に木目シートを貼付して使用する場合、ランマパネルと点検パネルには扉の厚みに相当する下端面があるので、下端面から前面側にかけて一枚のシートが貼付されるが、このとき、扉の上端部のシートの木目と各パネルの下端面のシートの木目を合わせると、各パネルの正面側のシート木目と、扉の表面側上端部のシートの木目が連続しない。この場合、出入口を離れた位置から目視すると、各パネルの正面側と扉の表面側しか目視できないので、全体としてシートの木目に違和感が生じ好ましくなかった。一方、扉の表面側上端部のシートの木目と各パネルの正面側のシートの木目を合わせると、各パネルの下端面のシート木目と、扉の表面側上端部のシートの木目があわず、特に出入口に近づいた場合、違和感が明確となり、デザイン的に問題があった。
【先行技術文献】
【特許文献】
【０００４】
【特許文献１】特許第３５２１３６５号公報
【発明の概要】
【発明が解決しようとする課題】
【０００５】
本発明は、簡単な構造で、出入口上部の圧迫感を排除することで、出入りする使用者に軽快感を与え、表面に木目シートを貼付して使用する場合であっても、扉表面の木目と、各パネル表面の木目の連続性を容易に得ることができるデザイン性に優れた吊り戸装置を提供することを課題とする。
【課題を解決するための手段】
【０００６】
上記課題を解決する為、本発明が第１の手段として構成したところは、建物用鉄骨に固定される吊り戸枠と、吊り戸枠に設けられるレール部材と、レール部材に開閉自在に吊り下げられる扉と、閉鎖状態の扉の上方に位置するランマパネルと点検パネルより構成され、ランマパネルと点検パネルは、ランマパネル上嵌入用間隙、あるいは、点検パネル上嵌入用間隙に、下方から嵌入するランマパネル上嵌入部と、点検パネル上嵌入部と、開閉方向側の少なくともいずれか一方側の端部に、外方に突出するランマパネル外向き突片と点検パネル外向き突片を有し、扉の上方に着脱自在で、上下方向に取付け高さ変更可能に構成されると共に、点検パネルの前表面板とランマパネルの後表面板は、閉鎖状態の扉の前後面板とほぼ面一となるものである。
【０００７】
次に上記課題を解決する為、本発明が第２の手段として構成したところは、建物用鉄骨に固定される吊り戸枠にレール部材が設けられ、レール部材に開閉自在に吊り下げられた扉の閉鎖状態で、扉が位置する側を出入口側とし、出入口側は、少なくとも、戸先側縦枠と、前後に所定間隔を有して配設された前後中縦枠と、前後中縦枠と戸先側縦枠の上端部間に配設されるランマパネルと点検パネルより構成され、ランマパネルと点検パネルは、ランマパネル上嵌入用間隙、あるいは、点検パネル嵌入用間隙に、下方から嵌入するランマパネル上嵌入部と、点検パネル上嵌入部と、開閉方向側の少なくともいずれか一方側の端部に、外方に突出するランマパネル外向き突片と点検パネル外向き突片を有し、扉の上方に
着脱自在で、上下方向に取付け高さ変更可能に構成されると共に、点検パネルの前表面板とランマパネルの後表面板は、閉鎖状態の扉の前後面板とほぼ面一となるものである。
【０００８】
次ぎに上記課題を解決する為、本発明が第３の手段として構成したところは、上記第２の手段に加えて、前後中縦枠と戸先側縦枠の少なくともいずれか一方に、点検パネル外向き突片とランマパネル外向き突片が連結される前後連結用凹部を上下方向にわたって有し、前後連結用凹部には上下方向に所定間隔を有して前後連結用螺孔が形成され、点検パネル外向き突片とランマパネル外向き突片には前後連結用螺孔に対応して上下方向に長い前後連結用長孔が形成されているものである。
【０００９】
次ぎに上記課題を解決する為、本発明が第４の手段として構成したところは、上記第３の手段に加えて、点検パネル外向き突片とランマパネル外向き突片の反対側の前後表面板下端部裏面側に前後間隔保持金具が設けられ、前後間隔保持金具は、レール保持材に下方から連結された状態で、点検パネルとランマパネルが上下方向に移動可能で、かつ、適宜高さの点検パネル及びランマパネルと上下動不能に連結固定されるものである。
【発明の効果】
【００１０】
第１手段として構成したところによると、ランマパネルと点検パネルの前後表面板は、扉前後表面板と面一で、吊り戸の上方で上下方向に取付け高さ変更可能に構成されているので、吊り戸装置の扉の開閉時に扉の下端面が床面と接触せずに円滑に扉を開閉させるために、遮音性、保温性に影響しない範囲で、扉下面と床面との間に適宜な隙間を構成するため、扉を吊り下げた状態で上下動させても、これに合わせて、ランマパネルと点検パネルの取付け高さを変更できるので、ランマパネルと点検パネルの下端面と扉の上端面間の隙間を目立たず、美麗な間隔で選択でき、しかも、ランマパネルと点検パネルと扉表面は面一に形成されているので、出入口の頭上側の圧迫感を排除することで、出入する使用者に軽快感を与え、表面に木目シートを貼付して使用する場合であっても、扉表面の木目と、各パネル表面の木目の連続性を容易に得ることができ、デザイン性に優れた吊り戸装置となる。
【００１１】
第２手段として構成したところによると、上記第１の手段として構成したところによる効果に加え、ランマパネルと点検パネルは、前後中縦枠と戸先側縦枠の上端部間に配設されているから、出入口側以上の幅寸法を必要としないので、最小限の大きさですみ、必要以上に重くならず、作業性に優れている。
【００１２】
第３手段として構成したところによると、上記第２の手段として構成したところによる効果に加え、ランマパネル外向き突片と点検パネル外向き突片を外方に突出してもうけ、前後中縦枠に前後連結用凹部をもうけ、前後連結用凹部には前後連結用螺孔を、点検パネル外向き突片とランマパネル外向き突片には上下方向に長い前後連結用長孔が形成されているので、出入口側から前後中縦枠方向に向けての作業であるから、作業姿勢に無理がなく、又、目視も楽であるから、連結作業が非常に容易である。さらに、前後連結用凹部には前後連結用螺孔を点検パネル外向き突片とランマパネル外向き突片には上下方向に長い前後連結用長孔を設けるだけの簡単な構成であるから、安価に製作できる。
【００１３】
第４の手段として構成したところによると、上記第３の手段として構成したところによる効果に加え、ランマパネルと点検パネルの前後表面板下端部裏面に、前後間隔保持金具を上下方向に移動可能に保持し、前後間隔保持金具は、レール保持材に下方から連結可能で、かつ、前後表面板下端部裏面に適宜位置で、上下動不能に連結固定されるものであるから、前後間隔保持金具をランマパネルと点検パネルの前後表面板下端部裏面で上下方向に移動可能に保持された状態で、前後間隔保持金具をレール保持材に固定し、次に、扉の高さを調節した後、ランマパネルと点検パネルの下端面と扉の上端面間の隙間を目立たず、美麗な間隔に選択し、前後間隔保持金具とランマパネルと点検パネルを上下動不能に連結固定するだけで、ランマパネルと点検パネルの一方側は、前後間隔保持金具とレール保持材で、他方側は、点検パネル外向き突片とランマパネル外向き突片と前後連結用凹部とで連結されるので、ランマパネルと点検パネルの前後間隔も確実強固に保持できる。
【図面の簡単な説明】
【００１４】
【図１】図１は、本発明の扉の閉鎖状態の正面略図である。
【図２】図２は、図１のＡ―Ａ線断面拡大図である。
【図３】図３は、図１のＢ―Ｂ線断面拡大図である。
【図４】図４は、図１のＣ―Ｃ線断面拡大図である。
【図５】図５は、図１のＤ―Ｄ線断面拡大図である。
【図６】図６は、前後中縦枠部分の要部拡大断面図である。
【図７】図７は、戸先側縦枠部分の要部拡大断面図である。
【図８】図８は、扉上部と点検パネル及びランマパネル下部部分の関係を示す要部拡            大断面図である。
【図９】図９は、扉下部とガイド装置の関係を示す要部拡大断面図である。
【図１０】図１０は、ガイド装置と全開ストッパーの関係図である。
【図１１】図１１は、前後中縦枠の上部部分の要部拡大断面図である。
【図１２】図１０は、戸先側縦枠の上部部分の要部拡大断面図である。
【発明を実施するための形態】
【００１５】
建物用鉄骨に固定される吊り戸枠にレール部材が設けられ、レール部材に開閉自在に吊り下げられた扉の閉鎖状態で、扉が位置する箇所を出入口側とし、出入口側は、少なくとも、戸先側縦枠と、前後に所定間隔を有して配設された前後中縦枠と、前後中縦枠と戸先側縦枠の上端部間に着脱自在に配設される点検パネルとランマパネルより構成され、ランマパネルと点検パネルは、ランマパネル上嵌入用間隙、あるいは、点検パネル上嵌入用間隙に、下方から嵌入するランマパネル上嵌入部と、点検パネル上嵌入部と、開閉方向側の少なくともいずれか一方側の端部に、外方に突出するランマパネル外向き突片と点検パネル外向き突片を有し、扉の上方に着脱自在で、上下方向に取付け高さ変更可能に構成されると共に、点検パネル外向き突片とランマパネル外向き突片に対応して前後中縦枠と戸先側縦枠のいずれか一方に、点検パネル外向き突片とランマパネル外向き突片が連結される前後連結用凹部を上下方向にわたって有し、前後連結用凹部には上下方向に所定間隔を有して前後連結用螺孔が形成され、点検パネル外向き突片とランマパネル外向き突片には前後連結用螺孔に対応して上下方向に長い前後連結用長孔が形成され、点検パネル外向き突片とランマパネル外向き突片の反対側の前後表面板下端部裏面側に前後間隔保持金具が設けられ、前後間隔保持金具は、レール保持材に下方から連結された状態で、点検パネルとランマパネルが上下方向に移動可能で、かつ、適宜高さの点検パネル及びランマパネルと上下動不能に連結固定されるものである。
【実施例】
【００１６】
以下、第１実施例を添付図面に基づいて詳述する。
図１において、符号１は吊り戸枠を示している。
吊り戸枠１は、図１から図４に示すように、建物用鉄骨１１・・・にブラケット１２・・・を介して固定された戸尻側縦枠１３および戸先側縦枠１４と、戸尻側縦枠１３と戸先側縦枠１４の上端間に配設され、建物用鉄骨１１・・・に連結された上枠１５等より構成されている。
【００１７】
そして、戸尻側縦枠１３と戸先側縦枠１４間のほぼ中間位置で、上枠１５の前側（実施例では室内側、）と後側（実施例では室外側）の両面に上端が連結され、下端部が床面に埋め込まれた前中縦枠３と後中縦枠３０が、前後に所定間隔を有して配設されている。
以下、戸尻側縦枠１３と前後中縦枠３、３０間を戸袋側、戸先側縦枠１４と前後中縦枠３、３０間を出入口側、前中縦枠３と後中縦枠３０の方向を前後方向、戸尻側縦枠１３と戸先側縦枠１４の方向を開閉方向と云う。
【００１８】
図１、図２、図３、図４において、符号２は、戸尻側縦枠１３と戸先側縦枠１４の上端内面に、開閉方向の両端部が高さ調節可能に連結されているレール保持材を示している。
レール保持材２の前面側にはレール部材５が取付けられ、レール部材５には扉６が吊り下げられている。符号１６は、戸袋側の床面全幅にわたって固定されたベース材を示し、符号４は、ベース材１６の出入口側端部に設けられたガイド装置を示している。
図３、図４において、符号１７、１７は、戸尻側縦枠１３と前後中縦枠３、３０間の前後面に配設された前後下地パネルを示している。
図７において符号１８は、前中縦枠３と戸先側縦枠１４の上端部間に配設された、前中縦枠３の前後方向の幅とほぼ同じ幅を有する、前化粧枠を示し、符号１９は、後中縦枠３０と戸先側縦枠１４の上端部間に配設された、後中縦枠３０の前後方向の幅とほぼ同じ幅を有する、後化粧枠を示し。符号１８０は前化粧枠１８と後化粧枠１９の上方を閉塞する笠木を示している。
【００１９】
そして、上記戸尻側縦枠１３、戸先側縦枠１４、上枠１５、レール部材５が取付られたレール保持材２、ベース材１６、前中縦枠３、後中縦枠３０、下地パネル１７、ガイド装置４、前化粧枠１８、後化粧枠１９、笠木１８０が内装仕上げ（化粧ボード１００、クロス等の張付け）の行われるまでに施工され、内装仕上げが終了した後、扉６がレール部材５に吊り込まれ、床面との調整、扉６の摺動確認、閉鎖スピードの調整作業、レール保持材２の連結固定等が行われる。そして、その後、点検パネル８、ランマパネル８０が扉６の上方に扉６と表面が面一に取付けられる。
すなわち、本発明では、施工が完了した状態では、戸先側縦枠１４、前中縦枠３、後中縦枠３０、前化粧枠１８、後化粧枠１９、笠木１８０、点検パネル８、ランマパネル８０、扉６以外は化粧ボード１００で隠蔽された状態となる。
【００２０】
以下、本件発明に関係する部材について詳述する。
戸尻側縦枠１３は横断面略コ字形に形成され、建物用鉄骨１１の出入口側面から所定寸法離間した位置に立設され、横向きL字形のブラケット１２・・・と建物用鉄骨１１が溶接されたあと、鉛直姿勢の状態でブラケット１２と溶接され、床面仕上げ時に下端部が床面に埋め込まれる。符号１３８は、扉６が全開した時、扉６の戸尻側端面が当接する、出入口側面に取付られた緩衝部材を示している。
【００２１】
戸先側縦枠１４は、図７に示す如く、建物側鉄骨１１側の上下方向に所定間隔を有して固定用部材１４１・・・が設けられ、前後方向で室内側と室外側（前後）に突出して室内側の化粧ボード１００の出入り口側端面を隠蔽する室内側ボード閉塞突部１４７と、室外側の化粧ボード１００の出入口側端面を隠蔽する室外側ボード閉塞突部部１４６と、室内側ボード閉塞突部１４７と室外側ボード閉塞突部１４６間に位置し、上部が室内側ボード閉塞突部１４７と室外側ボード閉塞突部１４６より上方に突出し、扉６の戸先側端部が位置する部分に上下方向に渡って設けられ閉鎖用凹部１４８を有し、閉鎖用凹部１４８の前後方向中央部に上下方向にわたって、弾性材から形成された戸当たり受け部材１４９が取付けられている。
【００２２】
上枠１５は、図２に示す如く、断面下向きコ字形に構成されている。
そして、前後方向略中央部の出入口側下面に、上枠１５の前後下向き突片１５３、１５４と前後方向に所定間隔を有して下方に突出する点検パネル上保持突片１５５、ランマパネル上保持突片１５６が、開閉方向の両端部側に設けられている。
一方、前後方向略中央部の出入口側上面には上枠１５より前後方向で突出する下向きコ字形の笠木１８０が取付けられている。
【００２３】
戸先側縦枠１４と上枠１５は上記のように構成され、戸尻側縦枠１３が立設された後、上枠１５の戸先側を戸先側縦枠１４にネジ止めして、上枠１５と戸先側縦枠１４を仮組みした状態で、上枠１５と戸尻側縦枠１３を同様にして仮組みする。
次に、上記の状態を維持しながら戸先側のブラケット１２・・・を介して、戸先側縦枠１４の固定用部材１４１・・・建物用鉄骨１１と溶接連結し、次に上枠１５と建物用鉄骨１１を連結する。
【００２４】
ベース材１６は、図３、図４、に示す如く、戸袋側の床面全幅に位置する固定面１６１と、固定面１６１の前側（点検側）及び後側（固定側）の端部に形成された前後立ち上がり面１６２、１６２より上向きコ字形に形成され、固定面１６１の出入り口側端部に、扉６の下端面に形成された嵌合溝６０と連係するガイド装置４が出入り口側に突出して設けられている。
【００２５】
前後下地パネル１７、１７は対向した同形に構成されているので一方側についてのみ説明する。
前下地パネルは、図４に示すように上下に分割された前下方下地パネル１７１と、前下方下地パネル１７１の上方に位置する前上方下地パネル１７２よりなり、前下方下地パネル１７１の下端部はベース材１６の前立ち上がり面１６２に係合し、出入口側端部は前中縦枠３に係合して取付けられ、戸尻側縦枠１３側端部は戸尻側縦枠１３の前面側にネジ止めされている。
前上方下地パネル１７２の下端部は前下方下地パネル１７１の上端部に係合し、出入口側端部は前中縦枠３に係合して取付けられ、戸尻側縦枠１３側端部は戸尻側縦枠１３の前面側にネジ止めされ、上方端部は、上枠１５にネジ止めされている。
【００２６】
ガイド装置４は、図６、図９、図１０に示すように、嵌合溝６０に嵌合するガイドローラー４１と、ガイドローラー４１を、その上面で回転自在に保持するガイドローラー取付部材４２と、ガイドローラー取付部材４２に連結された全開時保持ローラー取付座４３０と、全開時保持ローラー取付座４３０の戸先側縦枠１４側にガイドローラー４１と所定間隔を有し、前後方向の水平軸をもって回転自在に保持された全開時保持ローラー４３より構成されている。
そして、ガイドローラー取付部材４２の出入り口側端部がアンカーボルトにて床面に固定されると共に、ベース材１６の出入口側端部の前後立ち上がり面１６２、１６２は室内側中縦枠３、室外側中縦枠３０の内面と連結され、さらに、戸尻側端部が戸尻側縦枠１３と連結され床面に固定される。
【００２７】
前後中縦枠３、３０は前後方向で対称形に形成されている。すなわち、前中縦枠３は、図６、図１１に示す如く、上端部が上枠１５の前側にネジ止め連結され、内面側に位置する補強枠３１と、補強枠３１の出入り口側の端部から室内側に位置する室内側外側枠３２より構成され、出入口側内面角部（閉鎖状態の扉側）に上下方向全幅にわたって、点検パネル８の開閉方向の開放側端部、及び、後記する前カバー体７を連結するための前連結用凹部３３が形成され、前連結用凹部３３には、点検パネル８を取付ける部分には点検パネル連結用螺孔３５が形成された前連結座３４が設けられ、それ以外の箇所には上下方向に前カバー体７を連結するための前カバー体連結螺孔３６・・・が形成されている。そして、下端部内面がベース材１６と連結され、床面仕上げ時に下端が床面に埋め込まれて立設される。
【００２８】
後中縦枠３０は、図６、図１１に示す如く、上端部が上枠１５の後側とネジ止め連結され、内面側に位置する室外側補強枠３０１と、室外側補強枠３０１の出入り口側の端部から室外側に位置する室外側外側枠３０２より構成され、出入口側内面角部（閉鎖状態の扉側）に上下方向にわたって、ランマパネル８０の開閉方向の開放側端部、及び、後記する後カバー体７０を連結するための後連結用凹部３０３が形成され、後連結用凹部３０３には、ランマパネル８０を取付ける部分にはランマパネル連結用螺孔３０５が形成された後連結座３０４が設けられ、それ以外の箇所には上下方向に後カバー体７０を連結するための後カバー体連結３０６・・・が形成されている。そして、下端部内面がベース材１６と連結され、床面仕上げ時に下端が床面に埋め込まれて立設される。
【００２９】
前後化粧枠１８、１９は図２に示すように、前後方向で対称形に形成されている。すなわち、前化粧枠１８は、開閉方向の左右端部が前中縦枠３の上端部内面と戸先側縦枠１４の上端部前内面間に配設され、後端面１８１と前記点検パネル上保持突片１５５間に、点検パネル上嵌入用間隙１８２が形成される。
一方、後化粧枠１９は、開閉方向の左右端部が後中縦枠３０の上端部内面と戸先側縦枠１４の上端部後側内面間に配設さて、前端面１９１と前記ランマパネル上保持突片１５６間に、ランマパネル上嵌入用間隙１９２が形成される。
【００３０】
点検パネル８とランマパネル８０は、図８、図１１、図１２、前後方向で対称形に形成されている。すなわち、点検パネル８は、取付け状態で扉６の前面板６２と面一に上方に配設される前表面板８１と、前表面板８１の上部に形成された、前記点検パネル上嵌入用間隙７２に下方から嵌入する点検パネル上嵌入部８２と、前表面板８１の戸先側端部に形成された点検パネル戸先側嵌入部８３と、前記前中縦枠３の前連結用凹部３３に位置するよう、外方（前側方向）に突出する点検パネル外向き突片８４を有し、点検パネル外向き突片８４には前記点検パネル連結用螺孔３５に対応して、上下方向に長い前連結用長孔（図示せず。）が形成されている。
【００３１】
そして、前表面板８１の下端部裏面に一体化された点検パネル下補強材８６には、前間隔保持金具８５が設けられている。
前間隔保持金具８５は、図８に示すごとく、レール保持材２と連結される前上連結突片８５１と、点検パネル８の点検パネル下補強材８６の前嵌入保持孔８７の上方から嵌入する前下連結突片８５２より逆Ｌ字形に形成されている。そして、前表面板８１の点検パネル戸先側嵌入部８３側で、下補強材８６の裏面側に前嵌入保持孔８７に対応して上下方向に長い前間隔保持金具連結用長孔８８が設けられ、前下連結突片８５２に前間隔保持金具連結用長孔８８に臨む点検パネル連結用螺孔８９が設けられている。
すなわち、点検パネル８は、レール保持材２の下面に前間隔保持金具８５が連結された状態で、前嵌入保持孔８７を介して所定範囲で上下動可能で、かつ所望位置で、前間隔保持金具連結用長孔８８を介して、点検パネル連結用螺孔８９と点検パネル下補強材８６をネジ止めすることで、上下動不能に前間隔保持金具８５を介してレール保持材２に連結される。
【００３２】
一方、ランマパネル８０は、取付け状態で扉６の後面板６３と面一に上方に配設される後表面板８０１と、後表面板８０１の上部に形成された、前記ランマパネル上嵌入用間隙１９２に下方から嵌入するランマパネル上嵌入部８０２と、後表面板８０１の戸先側端部に形成されたランマパネル戸先側嵌入部８０３と、前記後中縦枠３０の後連結用凹部３０３に位置する、外方（後側方向）に突出するランマパネル外向き突片８０４を有し、ランマパネル外向き突片８０４には前記ランマパネル連結用螺孔３０５に対応して、上下方向に長い後連結用長孔（図示せず。）が形成されている。
【００３３】
そして、後表面板８０１の下端部裏面に一体化されたランマパネル下補強材８０６には、ランマパネル戸先側嵌入部８０３側に後間隔保持金具８６０が設けられている。
後間隔保持金具８６０は、図８に示すように、レール保持材２と連結される後上連結突片８６１と、ランマパネル下補強材８０６の後嵌入保持孔８０７の上方から嵌入する後下連結突片８６２より逆Ｌ字形に形成されている。
後表面板８０１のランマパネル戸先側嵌入部８０３側で、下補強材８０６の裏面側に後嵌入保持孔８０７に対応して上下方向に長い後間隔保持金具連結用長孔８０８が設けられ、
後下連結突片８６２に後間隔保持金具連結用長孔８０８に臨むランマパネル連結用螺孔８０９が設けられている。すなわち、ランマパネル８０は、レール保持材２の下面に後間隔保持金具８６０が連結された状態で、後嵌入保持孔８０７を介して所定範囲で上下動可能で、かつ所望位置で、後間隔保持金具連結用長孔８０８を介して、ランマパネル連結用螺孔８０９とランマパネル下補強材８０６をネジ止めすることで、上下動不能に後間隔保持金具８６０を介してレール保持材２に連結される。
【００３４】
レール保持材２は、図２に示すように、レール部材５が前側に連結されるレール部材連結壁を有し、戸先側縦枠１４と戸尻側縦枠１３の上端部間に、高さ調節可能で、水平状態に配設される。
【００３５】
レール部材５は、レール保持材２のほぼ全幅に渡って配設され、図２に示すように、断面略C字形で、レール保持材２よりやや短目のレール補強部材と、レール補強部材の室内側にネジ止め連結される断面略C字形で、レール補強部材とほぼ同長の外側メンバーと、外側メンバーの略３分の２程度の長さのボールリテーナに回転自在に保持されたボールを介して、外側メンバーに摺動自在に保持される、外側メンバーの略３分の１程度の長さの移動側メンバーより構成され、移動側メンバーの前面側には、移動側メンバーと同程度の長さの吊り下げ用金具５１が固着されている。
【００３６】
吊り下げ用金具５１は、図２に示すように、移動側メンバーの前面側に固着される連結固着部５２と、連結固着部５２の下端部に連設された前面側が開口するコ字形の吊り下げ支持部５３より構成されている。
そして、吊り下げ支持部５３の開閉方向側両端部には、前面側が開口する吊り下げボルト挿通孔が形成されている。
【００３７】
吊り下げ用金具５１に吊り下げられる扉６は、前記吊り下げボルト挿通孔に対応する位置で、上端面に吊り下げボルト６１、６１が設けられた、前後面板６２、６３よりパネル形状をなし、下端面の開閉方向に前記ガイドローラー４１が嵌合する嵌合溝６０と、下部隙間閉塞部材６０１が取付けられる閉塞部材取付溝６０２が形成され（図９に示す。）、
扉６の戸先側端面には、扉６の閉鎖状態で戸先側縦枠１４の戸当たり受け部材１４９に当接する戸当たり部材６００（図４に示す。）が設けられている。
符号３００は（図１に示す。）、扉６の戸先側端部（引き残し部）で、前後面板６２、６３に設けられた取手を示している。
【００３８】
吊り下げボルト６１は、螺軸部とボルト頭部よりなり、点検パネル８が取外された状態の出入口の前側より、吊り下げボルト６１、６１の螺軸部が、吊り下げ支持部５３の吊り下げボルト挿通孔を挿通して、ボルト頭部が吊り下げ用支持部５３に保持され、必要に応じて頭部をスパナで回動して扉６を所定の高さに位置させた後、ボルト保持体６５、６５が吊り下げ用支持部５３に前側より連結されて、レール部材５に吊り下げ用金具５１を介して吊り下げられる。
【００３９】
さらに、扉６を吊り下げた状態で、吊り下げ用金具５１の戸先側端部とレール保持材２の戸先側端部間にゼンマイ式の自閉装置（図示せず。）を配設し、レール保持材２と吊り下げ用金具５１間にブレーキ装置（図示せず。）を配設し、扉６の所望の自閉スピードを得る。尚、実施例のゼンマイ式の自閉装置、ブレーキ装置は公知（市販）のものを使用しているので説明は省略する。
一方、本実施例の扉６を全開状態で維持する全開ストッパー装置は、開放側端部を下向きへの字形にした板バネからなる全開時保持用バネ４５とガイド装置４に設けられた全開時保持ローラー４３より構成されている。
すなわち、全開時保持用バネ４５は、扉６の嵌合溝６０の閉鎖側端部に臨み、バネ取付金具４５１を介して開放側に突出し、取付位置が適宜な高さとなるよう上下動調節可能に取付られる。
そして、扉６が全開されたときに、全開時保持用バネ４５の開放側端部が、全開時保持ローラー４３を乗り越して、弾性力にて扉６の閉鎖運動を阻止するする。
【００４０】
符号９は、ランマパネル８０の下端縁の内面側と扉６の上面間に配設された上部閉塞装置を示している。
上部閉塞装置９は、ランマパネル８０の下端縁の内面側に、開閉方向で、出入口全幅にわたって戸先側を低く、戸尻側をやや高くなるようやや傾斜した状態に取付けられる、弾性材料からなるパッキン９１と、扉６の閉鎖時にパッキンの下面に密着するよう、パッキン９１の傾きに対応し、戸先側が低く、戸尻側がやや高く形成されたパッキン受け材９２より構成されている。
【００４１】
本発明は、上記のように構成され、点検パネル８、ランマパネル８０が取り外された状態で扉６が吊り下げられ、すべての調整を終了した後、点検パネル８とランマパネル８０が取付けられる。
そして、点検パネル８の点検パネル外向き突片８４、ランマパネル８０のランマパネル外向き突片８０４を隠蔽すると共に、前後中縦枠３、３０の前後連結用凹部３３、３０３を閉塞する前後カバー体７、７０が最後に取付けられる。
【００４２】
前後カバー体７、７０は前後に対称形に形成されている。すなわち、前カバー体７は取付状態で前中縦枠３の出入口側面と面一となる前正面板７１と、前連結用凹部３３の前側面に当接する前正面板７１に連設された前当接面板７２と、点検パネル８が位置する部分を除いて、前正面板７１の後端に連設された前閉塞面板７３より、横断面コ字形で、前連結用凹部３３の高さに一致する高さに構成されている。
そして、前中縦枠３に設けられた前カバー体連結螺孔３６・・・に対応して前正面板７１の上下方向に、皿ネジにて連結するための前カバー取付孔７１１・・・が形成されている。
【００４３】
後カバー体７０は取付状態で後中縦枠３０の出入口側面と面一となる後正面板７０１と、後連結用凹部３０３の後側面に当接する後正面板７０１に連設された後当接面板７０２と、ランマパネル８０が位置する部分を除いて、後正面板７０１の前端に連設された後閉塞面板７０３より、横断面コ字形で、前連結用凹部３０３の高さに一致する高さに構成されている。
そして、後中縦枠３に設けられた後カバー体連結螺孔３０６・・・に対応して後正面板７０１の上下方向に、皿ネジにて連結するための後カバー取付孔７００・・・が形成されて
いる。
【００４４】
すなわち、扉６の高さ位置等を調節下のち、点検パネル８は、点検パネル上嵌入部８２が点検パネル上嵌入用間隙１８２に下方から嵌入された状態で、点検パネル戸先側嵌入部８３を戸先側縦枠１３の閉鎖用凹部１４８の前端部側に嵌入させ、その後、点検パネル外向き突片８４が前連結用凹部３３内に位置するまで開放方向に移動する。
そして、点検パネル８を上下動させて、点検パネル８の下面と扉６の上面の隙間が美麗な状態となった位置で、前連結用凹部３３の点検パネル連結用螺孔３５に点検パネル８の前連結用長孔を介してネジ止固定する。
【００４５】
次に、扉６を開放した状態で、点検パネル戸先側嵌入部８３側の点検パネル下補強材８６の前嵌入保持孔８７に嵌入保持された前間隔保持金具８５を、レール保持材２の下面に下方からネジ止め連結し、さらに、前間隔保持金具連結用長孔８８を介して連結ネジを点検パネル連結用螺孔８９にネジ止め固定する。
この状態で、点検パネル８の前表面板８１は扉６の前面板６２と上下方向で面一となり、戸先側縦枠１４側端部が不用意に前後方向に撓むことがない。
【００４６】
さらに、前カバー体７を前連結凹部３３内に位置させ、前カバー取付孔７１１・・・
を介して、皿ネジにて前中縦枠３に設けられた前カバー体連結螺孔３６・・・に連結する。
この状態で、点検パネル８の点検パネル外向き突片８４及び、連結ネジ、前連結座３４が隠蔽され、前正面板７１と前中縦枠３の出入口側面と面一となる。
さらに、同様にして、ランマパネル８０、後カバー体７０が取付けられる。
【符号の説明】
【００４７】
１          吊り戸枠
１１        建物用鉄骨
１３        戸尻側縦枠
１４        戸先側縦枠
１５        上枠
２          レール保持材
３、３０      前後中縦枠
３３、３０３  前後連結用凹部
３５、３０５  点検パネル連結用螺孔
６            扉
６２          前面板
６３          後面板
８            点検パネル
８１          前表面板
８２          点検パネル上嵌入部
８３          点検パネル戸先側嵌入部
８４          点検パネル外向き突片
８０          ランマパネル
８０１        後表面板
８０２        ランマパネル上嵌入部
８０３        ランマパネル戸先側嵌入部
８０４        ランマパネル外向き突片  
８５          前間隔保持間具
８６０        後間隔保持金具
【図１】
0005841806.tif 000002
【図２】
0005841806.tif 000003
【図３】
0005841806.tif 000004
【図４】
0005841806.tif 000005
【図５】
0005841806.tif 000006
【図６】
0005841806.tif 000007
【図７】
0005841806.tif 000008
【図８】
0005841806.tif 000009
【図９】
0005841806.tif 000010
【図１０】
0005841806.tif 000011
【図１１】
0005841806.tif 000012
【図１２】
0005841806.tif 000013